(57)【特許請求の範囲】
【請求項１】
本体と吸込グリルを備え、前記本体に空気を送風する送風機と空気を取入れる空気取入口を備え、前記送風機に空気を吸込む吸込口を備え、前記吸込グリルに空気を通気する通気部と前記通気部を覆い風量を調整する風量調整板を備え、前記風量調整板に一つの丸穴を備え、前記送風機と前記風量調整板との間に空間を備え、前記送風機により、前記吸込グリルの通気部、次に前記風量調整板の前記丸穴、次に前記空気取入口、次に前記吸込口の順に空気を吸込み送風し、前記丸穴を前記吸込口と略同心にし、
前記丸穴の大きさを調整する手段を備え、前記丸穴の大きさを調整する手段により前記丸穴の面積を丸穴の形状を保ったまま変更することができることを特徴とする送風装置。
【請求項２】
本体の側面には子機用吸込口を備え、他室に設置された子機に連通する子機用ダクトに接合されており、前記丸穴内径は前記吸込口内径より小さいことを特徴とする請求項１記載の送風装置。
【請求項３】
丸穴の大きさを調整する手段として、風量調整板の丸穴と同心の円が複数描かれていることを特徴とする請求項１または２に記載の送風装置。
【請求項４】
丸穴の大きさを調整する手段として、風量調整板の丸穴と同心の複数の円がミシン目によって描かれていることを特徴とする請求項１または２に記載の送風装置。
【請求項５】
丸穴の大きさを調整する手段として、風量調整板に開口と、前記開口を覆うように取り付けられ、丸穴が開いた補助板を備えたことを特徴とする請求項１または２に記載の送風装置。
【請求項６】
補助板は複数に分割でき、前記補助板が風量調整板の開口に重ならずに吸い込みグリルに固定できるようにしたことを特徴とする請求項５に記載の送風装置。
【請求項７】
丸穴がベルマウス形状であることを特徴とする請求項１〜６のいずれかに記載の送風装置。
【請求項８】
丸穴の大きさを調整する手段として、一辺に半円形状の切り欠きを備えた二枚の風量調整板を備え、前記風量調整板の前記切り欠きが向かい合うように前記風量調整板を重ねて配設したことを特徴とする請求項１または２に記載の送風装置。
【請求項９】
丸穴と同心で内径が丸穴よりも大きな円筒が、風量調整板との間に隙間を保って本体内の送風機に固定されていることを特徴とする請求項１〜８いずれかに記載の送風装置。
【請求項１０】
隙間の距離を調整できることを特徴とする請求項９に記載の送風装置。
【請求項１１】
吸込グリルの取り付け方向を一方向に特定する取り付け方向特定手段を備えることを特徴とする請求項１〜１０いずれかに記載の送風装置。
【請求項１２】
取り付け方向特定手段が、本体と吸込グリルに備えられた目印であることを特徴とする請求項１１に記載の送風装置。
【請求項１３】
吸込グリルを本体へ取り付けるための複数の取り付け手段が、前記吸込グリルの外径の中心において点対称にならないように配置されたことを特徴とする請求項１１に記載の送風装置。
【請求項１４】
丸穴が吸込グリルの外形の中心に位置することを特徴とする請求項１〜１０いずれかに記載の送風装置。
【発明の詳細な説明】
【技術分野】
【０００１】
本発明は、風量調整板やフィルターを備える吸込グリルを備えた換気扇などの換気送風機器や空気調和機などの空調機器等の送風装置に関するものである。
【背景技術】
【０００２】
従来、この種の送風装置は、吸込グリルに吸込風量を調整するための風量調整板を備えたものが知られている（例えば、特許文献１参照）。
【０００３】
以下、その送風装置について図１７を参照しながら説明する。
【０００４】
図１７に示すように、天井に設置される天井埋込型換気扇の本体開口を覆うように取り付けられる吸込グリル１０１は、本体開口と連通する開口部１０２が形成された化粧枠１０３と、化粧枠１０３に開口部１０２を覆うように取り付けられ、主体部１０４に形成された調整片部１０５を折曲げることができる風量調整板１０６を備えている。
【０００５】
上記構成において、風量調整版１０６の調整片部１０５を折り曲げて開口部１０２の開口量を増加させることによって吸込グリル１０１の吸込風量を増やすことができ、調整片部１０５の折り曲げを元に戻し、開口部１０２の開口量を元に戻すことによって吸込風量を減らすことができる。
【０００６】
また、従来、この種の送風装置は、吸込グリルに着脱可能な吸込フィルターを備えたものが知られている（例えば、特許文献２参照）。
【０００７】
以下、その送風装置について図１８を参照しながら説明する。
【０００８】
図１８に示すように、浴室換気乾燥機の本体に取り付けられる吸込グリル１０１は、中央部に空気を本体に吸入する開口部１０２を備えるグリル枠１０７と、開口部１０２に着脱自在に取り付けられた吸気パネル１０８とを備え、グリル枠１０７と吸気パネル１０８によりフィルター１０９を挟んで固定でき、給気パネル１０８を着脱することによりフィルター１１２を着脱できる構成となっている。
【特許文献１】特開平０８−１１４３４４号公報
【特許文献２】特開２０００−０５５３９５号公報
【発明の開示】
【発明が解決しようとする課題】
【０００９】
上記前者のような従来の送風装置では、風量調整板１０６の折り曲げによって形成される開口部１０２の形状がスリット状になるために、空気が通過する際に騒音を発生し、また圧力損失が高いため本体内部の送風機から発生する騒音が増加し、さらにその騒音が消音されることなく開口部１０２から漏出してくるという課題があり、空気通過時の騒音の発生を抑制し、吸込グリルの圧力損失が低く、内部からの騒音を消音して低騒音化でき、風量調整が可能な送風装置が要求されている。
【００１０】
また、上記後者のような従来の送風装置では、フィルター１０９の圧力損失により本体内部の送風機から発生する騒音が増加するが、その騒音が消音されることなく開口部１０２から漏出してくるという課題があり、内部からの騒音を消音することが要求されている。
【００１１】
本発明は、このような従来の課題を解決するものであり、空気通過時の騒音の発生を抑制し、吸込グリルの圧力損失が低く、騒音を消音することができる送風装置を提供することを目的としている。
【課題を解決するための手段】
【００１２】
本発明の送風装置は上記目的を達成するために、本体と吸込グリルを備え、本体に空気を送風する送風機と空気を取入れる空気取入口を備え、送風機に空気を吸込む吸込口を備え、吸込グリルに空気を通気する通気部と通気部を覆い風量を調整する風量調整板を備え、風量調整板に一つの丸穴を備え、送風機と風量調整板との間に空間を備え、送風機により、吸込グリルの通気部、次に風量調整板の丸穴、次に空気取入口、次に吸込口の順に空気を吸込み送風し、丸穴を吸込口と略同心にし、前記丸穴の大きさを調整する手段を備え、前記丸穴の大きさを調整する手段により前記丸穴の面積を丸穴の形状を保ったまま変更することができることを特長とする送風装置としたものである。
【００１３】
この手段により、風量調整板の丸穴によって送風機の出力を変更をせずに風量調整ができ、また角穴と比べてスムーズに空気を吸込むことができるため、空気通過時の騒音の発生を抑制し、吸込グリルの圧力損失を低くすることができ、また、送風機と風量調整板との間の空間により膨張型の共鳴消音機構を形成して送風機からの騒音を消音することができる送風装置が得られる。また、この手段により、天井埋込型換気扇などに適用され、ダクト施工状態によって送風機の出力が変動する場合や、複数の吸込ルートをもち、吸込ルートそれぞれの吸込風量が施工状態によって変動する場合などに、施工状態に合わせて風量を調整できる送風装置が得られる。
【００１４】
また他の手段は、本体の側面には子機用吸込口を備え、他室に設置された子機に連通する子機用ダクトに接合されており、前記丸穴内径は前記吸込口内径より小さいことを特徴とする送風装置としたものである。
【００１５】
この手段により、子機が設置された他室の空気は子機用ダクトを通って子機用吸込口から本体内に流入し、吸込口から送風機へ吸い込まれる。送風機７に吸い込まれた空気は吐出口からダクトに吐出され、屋外に排出される。本体設置室内から吸い込む空気の量と他室から吸い込む空気の量のバランスは、丸穴の面積によって調整することができ、他室から吸い込む空気量を増やしたい場合は丸穴の面積を小さくし、他室から吸い込む空気量を減らしたい場合は丸穴の面積を大きくすれば良く、スムーズに空気を吸い込むことができる。
【００１６】
また他の手段は、丸穴の大きさを調整する手段として、風量調整板の丸穴と同心の円が複数描かれていることを特徴とする送風装置としたものである。
【００１７】
この手段により、吸込グリルの風量調整板の一部を円に沿って切り取って丸穴の大きさを変更することができるため、丸穴の面積を変更するための追加の部品が不要で、正確に丸穴を所望の面積に変更することができる送風装置が得られる。
【００１８】
また他の手段は、丸穴の大きさを調整する手段として、風量調整板の丸穴と同心の複数の円がミシン目によって描かれていることを特徴とする送風装置としたものである。
【００１９】
この手段により、吸込グリルの風量調整板の一部をミシン目に沿って工具などを使わずに切り取って丸穴の大きさを変更することができるため、丸穴の面積を変更するための追加の部品が不要で、容易に正確に丸穴を所望の面積に変更することができる送風装置が得られる。
【００２０】
また他の手段は、丸穴の大きさを調整する手段として、風量調整板の開口と、開口を覆うように取り付けられ、丸穴が開いた補助板を備えたことを特徴とする送風装置としたものである。
【００２１】
この手段により、丸穴の面積の異なる複数の補助板を用意することにより、本体設置後に必要風量が変わった場合や、本体を取り外して別の場所に取り付けた場合などに、丸穴の面積を容易に正確に変更できる送風装置が得られる。
【００２２】
また他の手段は、補助板は複数に分割でき、風量調整板の開口に重ならずに吸い込みグリルに固定できるようにしたことを特徴とする送風装置としたものである。
【００２３】
この手段により、使用しない補助板を吸込グリルに備蓄でき、風量を変更する場合などに容易に交換できる送風装置が得られる。
【００２４】
また他の手段は、丸穴がベルマウス形状であることを特徴とする送風装置としたものである。
【００２５】
この手段により、よりスムーズに空気を吸込むことができ、圧力損失を低減することができる送風装置が得られる。
【００２６】
また他の手段は、丸穴の大きさを調整する手段として、一辺に半円形状の切り欠きを備えた二枚の風量調整板を備え、風量調整板の切り欠きが向かい合うように風量調整板を重ねて配設したことを特徴とする送風装置としたものである。
【００２７】
この手段により、二枚の風量調整板の重なりの度合いを調整することによって丸穴の面積を調整でき、本体設置後に、施工状態に合わせて風量を調整できる送風装置が得られる。
【００３０】
また他の手段は、丸穴と同心で内径が丸穴よりも大きな円筒が、風量調整板との間に隙間を保って本体内の送風機に固定されていることを特徴とする送風装置としたものである。
【００３１】
この手段により、送風機と風量調整板の間の空間を容積部とし、隙間をのど部としたヘルムホルツ共鳴器を形成することができ、より低周波の騒音を共鳴消音できる送風装置が得られる。
【００３２】
また他の手段は、隙間の距離を調整できることを特徴とする送風装置としたものである。
【００３３】
この手段により、隙間の距離を調整することによって、施工状態によって変わる送風機からの騒音の周波数分布に合わせて共鳴消音する騒音の周波数を調整できる送風装置が得られる。
【００３４】
また他の手段は、吸込グリルの取り付け方向を一方向に特定する取り付け方向特定手段を備えることを特徴とする送風装置としたものである。
【００３５】
この手段により、施工時に容易に送風機の吸込口と丸穴を略同心になる方向で吸込グリルを取り付けることができる送風装置が得られる。
【００３６】
また他の手段は、取り付け方向特定手段が、本体と吸込グリルに備えられた目印であることを特徴とする送風装置としたものである。
【００３７】
この手段により、施工時の目視確認により容易に送風機の吸込口と丸穴を略同心になる方向で吸込グリルを取り付けることができる送風装置が得られる。
【００３８】
また他の手段は、吸込グリルを本体へ取り付けるための複数の取り付け手段が、吸込グリルの外径の中心において点対称にならないように配置されたことを特徴とする送風装置としたものである。
【００３９】
この手段により、施工時に確実に送風機の吸込口と丸穴を同心になる方向で吸込グリルを取り付けることができる送風装置が得られる。
【００４０】
また他の手段は、丸穴が吸込グリルの外形の中心に位置することを特徴とする送風装置としたものである。
【００４１】
この手段により、吸込グリルを取り付ける方向が限定されず、取り付け作業を容易にできるという作用を有する。
【発明の効果】
【００４２】
本発明によれば、風量調整やフィルターの着脱が可能な送風装置で、空気通過時の騒音の発生を抑制し、吸込グリルの圧力損失が低く、騒音を消音することができる送風装置を提供できる。
【発明を実施するための最良の形態】
【００４３】
本発明の請求項１記載の発明は、本体と吸込グリルを備え、本体に空気を送風する送風機と空気を取入れる空気取入口を備え、送風機に空気を吸込む吸込口を備え、吸込グリルに空気を通気、通風する通気部と通気部を覆い風量を調整する風量調整板を備え、風量調整板に一つの丸穴を備え、送風機と風量調整板との間に空間を備え、送風機により、吸込グリルの通気部、次に風量調整板の丸穴、次に空気取入口、次に吸込口の順に空気を吸込み送風し、丸穴を吸込口と略同心にし、前記丸穴の大きさを調整する手段を備え、前記丸穴の大きさを調整する手段により前記丸穴の面積を丸穴の形状を保ったまま変更することができることを特長とする送風装置としたものであり、風量調整板の丸穴によって送風機の出力を変更をせずに風量調整ができ、また角穴と比べてスムーズに空気を吸込むことができるため、空気通過時の騒音の発生を抑制し、圧力損失を低くすることができ、また、丸穴と吸込口を略同心としたことにより送風機と風量調整板との間の空間により膨張型の共鳴消音機構を形成して送風機からの騒音を消音することができるという作用を有する。また、天井埋込型換気扇などに適用され、ダクト施工状態によって送風機の出力が変動する場合や、複数の吸込ルートをもち、吸込ルートそれぞれの吸込風量が施工状態によって変動する場合などに、施工状態に合わせて風量を調整できるという作用を有する。
【００４４】
また、本体の側面には子機用吸込口を備え、他室に設置された子機に連通する子機用ダクトに接合されており、前記丸穴内径は前記吸込口内径より小さいことを特徴とする送風装置としたものであり、子機が設置された他室の空気は子機用ダクトを通って子機用吸込口から本体内に流入し、吸込口から送風機へ吸い込まれる。送風機７に吸い込まれた空気は吐出口からダクトに吐出され、屋外に排出される。本体設置室内から吸い込む空気の量と他室から吸い込む空気の量のバランスは、丸穴の面積によって調整することができ、他室から吸い込む空気量を増やしたい場合は丸穴の面積を小さくし、他室から吸い込む空気量を減らしたい場合は丸穴の面積を大きくすれば良く、スムーズに空気を吸い込むことができる。
【００４５】
また、丸穴の大きさを調整する手段として、風量調整板の丸穴と同心の円が複数描かれていることを特徴とする送風装置としたものであり、吸込グリルの風量調整板の一部を円に沿って切り取って丸穴の大きさを変更することができるため、丸穴の面積を変更するための追加の部品が不要で、正確に丸穴を所望の面積に変更することができるという作用を有する。
【００４６】
また、丸穴の大きさを調整する手段として、風量調整板の丸穴と同心の複数の円がミシン目によって描かれていることを特徴とする送風装置としたものであり、貫通穴が等間隔で並んだミシン目で円を描くことにより、吸込グリルの風量調整板の一部をミシン目に沿って工具などを使わずに切り取って丸穴の大きさを変更することができるため、丸穴の面積を変更するための追加の部品が不要で、容易に正確に丸穴を所望の面積に変更することができるという作用を有する。
【００４７】
また、丸穴の大きさを調整する手段として、風量調整板の開口と、開口を覆うように取り付けられ、丸穴が開いた補助板を備えたことを特徴とする送風装置としたものであり、丸穴の面積の異なる複数の補助板を用意することにより、本体設置後に必要風量が変わった場合や、本体を取り外して別の場所に取り付けた場合などに、丸穴の面積を容易に正確に変更できるという作用を有する。
【００４８】
また、補助板は複数に分割でき、風量調整板の開口に重ならずに吸い込みグリルに固定できるようにしたことを特徴とする吸込グリルとしたものであり、使用しない補助板を吸込グリルに備蓄でき、風量を変更する場合などに容易に交換できるという作用を有する。
【００４９】
また、丸穴がベルマウス形状であることを特徴とする送風装置としたものであり、よりスムーズに空気を吸込むことができ、圧力損失を低減することができるという作用を有する。
【００５０】
また、丸穴の大きさを調整する手段として、一辺に半円形状の切り欠きを備えた二枚の風量調整板を備え、風量調整板の切り欠きが向かい合うように風量調整板を重ねて配設したことを特徴とする送風装置としたものであり、二枚の風量調整板の重なりの度合いを調整することによって丸穴の面積を調整でき、本体設置後に、施工状態に合わせて風量を調整できるという作用を有する。
【００５２】
また、丸穴と同心で内径が丸穴よりも大きな円筒が、風量調整板との間に隙間を保って本体内の送風機に固定されていることを特徴とする送風装置としたものであり、送風機と風量調整板の間の空間を容積部とし、隙間をのど部としたヘルムホルツ共鳴器を形成することができ、より低周波の騒音を共鳴消音できるという作用を有する。
【００５３】
また、隙間の距離を調整できることを特徴とする送風装置としたものであり、隙間の距離を調整することによって、施工状態によって変わる送風機からの騒音の周波数分布に合わせて共鳴消音する騒音の周波数を調整できるという作用を有する。
【００５４】
また、吸込グリルの取り付け方向を一方向に特定する取り付け方向特定手段を備えることを特徴とする送風装置としたものであり、施工時に容易に送風機の吸込口と丸穴を略同心になる方向で吸込グリルを取り付けることができるという作用を有する。
【００５５】
また、取り付け方向特定手段が、本体と吸込グリルに備えられた目印であることを特徴とする送風装置としたものであり、施工時の目視確認により容易に送風機の吸込口と丸穴を略同心になる方向で吸込グリルを取り付けることができるという作用を有する。
【００５６】
また、吸込グリルを本体へ取り付けるための複数の取り付け手段が、吸込グリルの外径の中心において点対称にならないように配置されたことを特徴とする送風装置としたものであり、施工時に確実に送風機の吸込口と丸穴を同心になる方向で吸込グリルを取り付けることができるという作用を有する。
【００５７】
また、丸穴が吸込グリルの外形の中心に位置することを特徴とする送風装置としたものであり、吸込グリルを取り付ける方向が限定されず、取り付け作業を容易にできるという作用を有する。
【００５８】
以下、本発明の実施の形態について図面を参照しながら説明する。
【００５９】
（実施の形態１）
図１から３に示すように、送風装置としての天井埋込型換気扇１に用いられる吸込グリル２は、天井に固定される本体３（内寸：３０５ｍｍ角、高さ１７５ｍｍ）の下面の空気取入口４を覆うように取り付けられる。
【００６０】
本体３は、ベルマウス状で吸込口内径Ｄｉが１４５ｍｍの吸込口５と吐出口６を有する送風機７を備えており、吐出口６は天井裏に配され屋外に連通するダクト８に接合されている。また本体３の二つの側面には子機用吸込口９を備え、他室に設置された子機１０に連通する子機用ダクト１１に接合されている。
【００６１】
吸込グリル２は、複数のスリット状の穴で構成される通気部１２を備えるグリル枠１３と、その通気部１２を覆うようにグリル枠１３に固定される厚さ０．８ｍｍの風量調整板１４とを備え、風量調整板１４には吸込グリル２の外形の中心に位置し、送風機７の吸込口５と中心が１７ｍｍ離れた丸穴内径Ｄが１２０ｍｍの一つの丸穴１５を備えている。このとき、吸込口５と丸穴１５を丸穴１５の中心軸と垂直な面へ投影した場合、丸穴１５の面積の９７．４％が吸込口５と重なっている。吸込グリル２には取り付け手段としてスプリング１６が対向する二箇所に設置されており、本体３に設けられたスプリング受け１７にスプリング１６を挿入することで吸込グリル２を本体３に固定する構成となっている。
【００６２】
上記構成において、送風機７を運転すると、送風装置としての天井埋込型換気扇１が設置された室内（以下本体設置室内とする）の空気は、吸込グリル２の通気部１２と風量調整板１４の丸穴１５を通って、吸込口５から送風機７へ吸い込まれ、また子機１０が設置された他室の空気は子機用ダクト１１を通って子機用吸込口９から本体３内に流入し、吸込口５から送風機７へ吸い込まれる。送風機７に吸い込まれた空気は吐出口６からダクト８に吐出され、屋外に排出される。本体設置室内から吸い込む空気の量と他室から吸い込む空気の量のバランスは、丸穴１５の面積によって調整することができ、他室から吸い込む空気量を増やしたい場合は丸穴１５の面積を小さくし、他室から吸い込む空気量を減らしたい場合は丸穴１５の面積を大きくすれば良く、この例の場合、子機用ダクトの抵抗が小さい場合は本体設置室内と二つの他室からの吸込風量の比は８：１：１である。
【００６３】
このとき、風量調整板１４には丸穴１５が開いているため、スムーズに空気を吸い込むことができ、また角部が無いため乱流の発生を抑制し、騒音の発生を抑制することができる。
【００６４】
また同時に、送風機７から発生する騒音は主に吸込口５から吸込口５と風量調整板１４の間（間隔５２ｍｍ）の空間１８に放射される。このとき、風量調整板１４に送風機７の吸込口５と略同心の一つの丸穴１５を備えているため、吸込口５と空間１８と丸穴１５で膨張型消音器を形成し、空間１８に入射した騒音の音波のうち、消音器の働きにより一部が消音され、騒音を低減することができる。
【００６５】
また丸穴１５は吸込グリル２の外形の中心に位置するため、吸込グリル２を取り付ける方向が限定されず、取り付け作業を容易にすることができる。
【００６６】
図４に、風量調整板１４に丸穴１５が開いた場合と、長方形穴が開いた場合の吸込グリルから１ｍ離れた地点での騒音の音圧レベル（ＳＰＬ）のスペクトルのグラフを示す。穴の面積や中心位置、送風機の運転状況（回転数や風量、静圧など）は同じ条件である。図の通り丸穴の方が一部の周波数で音圧レベルが低減しており、オーバーオールの騒音値は丸穴では４１．５ｄＢ、長方形穴では４２．９ｄＢであり、１．４ｄＢの低減が確認された。
【００６７】
なお、音圧レベルが低減する周波数は空間の大きさによるが、一般的な換気送風機で騒音の主因となる２５０Ｈｚから２ｋＨｚの間の騒音を低減するには、この例のように送風機７と風量調整板１４の間隔を５０ｍｍ程度にして形成される空間１８とすれば良く、間隔が狭い場合には比較的高周波の騒音を低減でき、また間隔が広い場合には比較的低周波の騒音を低減することができる。
【００６８】
なお、この例では風量調整板１４の穴形状を丸穴１５としたが、角部が流れの抵抗になったり乱流騒音を発生したりしない程度の多角形や楕円径の穴であっても同様の効果を得ることができる。
【００６９】
なお、この例では吸込口５と丸穴１５の中心が１７ｍｍ離れているとしたが、同心とした方が吸い込まれる空気の流れがよりスムーズになるため更に良い騒音低減効果が得られる。
【００７０】
また丸穴１５の面積のうち８０％が吸込口と重なっていれば略同心と言え、同様の効果を得ることができる。
【００７１】
（実施の形態２）
図５に示すように、風量調整板１４に丸穴１５と同心の複数の円形ライン１９が描かれている。円形ライン１９は容易に消えないようになっていれば良く、インクで描かれていても、エンボスや溝で描かれていても良い。
【００７２】
本体設置室内と二つの他室からの吸込風量のバランスを変更したい場合、あらかじめ風量調整板１４の丸穴１５の面積の大きさによる風量バランスの影響を測定しておけば、丸穴１５の面積を変更することで本体３設置後でも所望の風量バランスにすることができるが、上記構成により、吸込グリル２の風量調整板１４の一部を円形ライン１９に沿って切り取ることができ、円形ライン１９によって設定される面積に正確に丸穴１５の面積を変更することができる。また丸穴１５の面積を変更するための追加の部品が不要であるため、低コストとなる。
【００７３】
（実施の形態３）
図６に示すように、風量調整板１４の丸穴１５と同心の複数の円形ライン１９が、長さ３ｍｍ幅１ｍｍの貫通穴が１ｍｍの間を持って円形に並んだミシン目によって描かれている。
【００７４】
上記構成により、吸込グリル２の風量調整板１４の一部をミシン目に沿って工具などを使わずに切り取って丸穴１５の大きさを正確に変更することができる。
【００７５】
（実施の形態４）
図７、８に示すように、風量調整板１４に直径１８０ｍｍの円形の開口２０が開いており、丸穴１５が開いた補助板２１が開口２０を覆うように取り付けられている。
【００７６】
補助板２１は４つの補助板部品２２に分割でき、風量調整板１４の開口２０に重ならない位置で吸込グリル２に固定できる。
【００７７】
上記構成により、丸穴１５の面積が異なる数種の補助板を用意することにより、本体３の設置後に必要風量が変わった場合や、本体を取り外して別の場所に取り付けた場合などに、丸穴１５の面積を容易に正確に変更できる。また、使用しない補助板２１を吸込グリル２に備蓄でき、風量を変更する場合などに容易に交換することができる。
【００７８】
（実施の形態５）
図９に示すように、丸穴１５が断面半径が１０ｍｍのベルマウス形状となっている。
【００７９】
上記構成により、よりスムーズに空気を吸込むことができ、圧力損失を低減することができ、騒音を低減することができる。
【００８０】
（実施の形態６）
図１０に示すように、一辺に半径９０ｍｍの半円形状の切り欠き２３を備えた二枚の風量調整板１４が、切り欠き２３が向かい合いかつ一部が重なり合うように吸込グリル２に配設されている。風量調整板１４には切り欠き２３のない向かい合う両辺にそれぞれ直列に３つの位置決め穴２４を備え、また吸込グリル２には風量調整板１４の向かい合う両辺の位置決め穴２４にそれぞれ対応して位置決め突起２５を備えている。
【００８１】
上記構成により、位置決め突起２５を挿入する位置決め穴２４を選択することによって二枚の風量調整板１４の重なりの度合いを調整することができ、二枚の風量調整板１４の切り欠き２３によって形成される丸穴１５の面積を調整することができるため、本体設置後に、施工状態等に合わせて風量を調整することができる。
【００８２】
（参考の形態１）
図１１、１２に示すように、吸込グリル２はフィルター付きの天井埋込型換気扇１に用いられ、本体３の空気取入口４を覆うように取り付けられ、空気取入口４と連通し本体３内部の送風機７の吸込口内径Ｄｉが１４５ｍｍの吸込口５に面する通気部１２を備えたグリル枠１３と、通気部１２を覆うようにグリル枠１３に配置されるフィルター２６と、フィルター２６を覆うように配置される複数のスリット状の穴を備えた吸込パネル２７を備えており、グリル枠の通気部１２が送風機７の吸込口５と中心が１７ｍｍ離れた丸穴内径Ｄが１２０ｍｍの一つの丸穴１５となっている。
【００８３】
上記構成により、送風機７の吸込口５から吸込口５と風量調整板１４の間の空間１８に放射される騒音は、風量調整板１４の丸穴１５が送風機７の吸込口５と略同心となっているため、吸込口５と空間１８と丸穴１５で膨張型消音器を形成し、空間１８に入射した騒音の音波のうち、消音器の働きにより一部が消音され、騒音を低減することができる。
【００８４】
（実施の形態７）
図１３に示すように、丸穴１５と同心で円筒内径Ｄｔが１６０ｍｍで丸穴１５の丸穴内径Ｄ（１４５ｍｍ）よりも大きな円筒２８が送風機７に固定されており、風量調整板１４との間に１５ｍｍの隙間ｈを成している。
【００８５】
上記構成により、送風機７の吸込口５から放射される騒音が隙間ｈを通って吸込口５と風量調整板１４の間の空間１８に入射するが、空間１８を容積部とし、隙間ｈをのど部としたヘルムホルツ共鳴型の消音器を形成するため、騒音を共鳴消音することができ、騒音を低減することができる。
【００８６】
（実施の形態８）
図１４に示すように、円筒２８が二重管になっており、隙間ｈの距離を調整できる構成となっている。
【００８７】
上記構成により、隙間ｈの距離を調整することによって、施工状態によって変わる送風機からの騒音の周波数分布に合わせて共鳴消音する騒音の周波数を調整し、騒音を低減することができる。
【００８８】
（実施の形態９）
図１５に示すように、丸穴１５が吸込グリル２の外形の中心に位置しない構成で、丸穴１５と送風機７の吸込口５が略同心になる吸込グリル２の取り付け方向（以下正規の取り付け方向）に取り付けられるように、本体３と吸込グリル２に取り付け方向特定手段として目印２９がついた構成となっている。
【００８９】
丸穴１５が吸込グリル２の外形の中心に位置しない場合、吸込グリル２の取り付け方向が規定の方向でなければ十分な騒音低減効果が得られないが、上記構成により、施工時に容易に吸込グリル２を正規の取り付け方向で取り付けることができる。
【００９０】
（実施の形態１０）
図１６に示すように、丸穴１５が吸込グリル２の外形の中心に位置しない構成で、丸穴１５と送風機７の吸込口５が略同心になる吸込グリル２の取り付け方向（以下正規の取り付け方向）に取り付けられるように、吸込グリル２に取り付け手段として対向する二箇所のスプリング１６が吸込グリル２の外径の中心において点対称にならない位置に設置され、本体３に設けられたスプリング受け１７もスプリング１６に対応した位置となった構成となっている。
【００９１】
上記構成により、施工時に確実に正規の取り付け方向で吸込グリル２を取り付けることができる。
【産業上の利用可能性】
【００９２】
本発明は、風量調整やフィルターの着脱が可能な送風装置で、空気通過時の騒音の発生を抑制し、吸込グリルの圧力損失が低く、騒音を消音することができる送風装置を提供するものであり、風量調整板や吸込フィルターを備える換気扇などの換気送風機器や空気調和機などの空調機器としても利用できる。
【図面の簡単な説明】
【００９３】
【図１】本発明の実施の形態１の送風装置を示す側断面図
【図２】本発明の実施の形態１の送風装置を示す下面図
【図３】本発明の実施の形態１の風量調整板と本体の関係を示す下面図
【図４】本発明の実施の形態１の送風装置の消音効果を示すグラフ
【図５】本発明の実施の形態２の送風装置の風量調整板を示す斜視図
【図６】本発明の実施の形態３の送風装置の風量調整板を示す斜視図
【図７】本発明の実施の形態４の送風装置の風量調整板を示す斜視図
【図８】本発明の実施の形態４の送風装置の風量調整板を示す上面図
【図９】本発明の実施の形態５の送風装置の風量調整板を示す図（（ａ）同、側断面図、（ｂ）同、下面図）
【図１０】本発明の実施の形態６の送風装置の吸込グリルを示す図（（ａ）同、斜視図、（ｂ）同、Ａ部の拡大図）
【図１１】本発明の参考の形態１の送風装置を示す側断面図
【図１２】本発明の参考の形態１の送風装置のグリル枠を示す上面図
【図１３】本発明の実施の形態７の送風装置を示す側断面図
【図１４】本発明の実施の形態８の送風装置を示す側断面図
【図１５】本発明の実施の形態９の送風装置を示す斜視図
【図１６】本発明の実施の形態１０の送風装置を示す斜視図
【図１７】従来の送風装置の吸込グリルを示す斜視図
【図１８】従来の送風装置の吸込グリルを示す斜視図
【符号の説明】
【００９４】
１    天井埋込型換気扇
２    吸込グリル
３    本体
４    空気取入口
Ｄｉ  吸込口内径
５    吸込口
６    吐出口
７    送風機
８    ダクト
９    子機用吸込口
１０  子機
１１  子機用ダクト
１２  通気部
１３  グリル枠
１４  風量調整板
Ｄ    丸穴内径
１５  丸穴
１６  スプリング
１７  スプリング受け
１８  空間
１９  円形ライン
２０  開口
２１  補助板
２２  補助板部品
２３  切り欠き
２４  位置決め穴
２５  位置決め突起
２６  フィルター
２７  吸込パネル
Ｄｔ  円筒内径
２８  円筒
ｈ    隙間
２９  目印
【図１】
0005223247.tif 000002
【図２】
0005223247.tif 000003
【図３】
0005223247.tif 000004
【図４】
0005223247.tif 000005
【図５】
0005223247.tif 000006
【図６】
0005223247.tif 000007
【図７】
0005223247.tif 000008
【図８】
0005223247.tif 000009
【図９】
0005223247.tif 000010
【図１０】
0005223247.tif 000011
【図１１】
0005223247.tif 000012
【図１２】
0005223247.tif 000013
【図１３】
0005223247.tif 000014
【図１４】
0005223247.tif 000015
【図１５】
0005223247.tif 000016
【図１６】
0005223247.tif 000017
【図１７】
0005223247.tif 000018
【図１８】
0005223247.tif 000019